(57)【特許請求の範囲】
【請求項１】
（ａ）回収された媒体が内部に集積される回収ボックスと、
（ｂ）マグネットによって回転させられ、前記回収ボックス内に集積された媒体を上から押さえつけるブレードと、
（ｃ）前記集積された媒体を押さえつけた時の前記ブレードの傾き度合いに基づいて、前記回収ボックス内がニヤフル状態であることを検出するホトセンサとを有し、
（ｄ）前記回収された媒体が前記回収ボックス内に搬入される前に、前記ブレードを回転させて前記回収ボックス内に集積された媒体を上から押さえつけ、
（ｅ）前記ブレード上に載るように前記回収された媒体を前記回収ボックス内に搬入し、
（ｆ）前記回収された媒体の一部が前記回収ボックス内に搬入された時に、取込ローラを逆向きに回転させて前記回収された媒体を前記回収ボックスから排出することを特徴とする媒体発行・回収装置。
【請求項２】
（ａ）回収された媒体が内部に集積される回収ボックスと、
（ｂ）マグネットによって回転させられ、前記回収ボックス内に集積された媒体を上から押さえつけるブレードと、
（ｃ）前記集積された媒体を押さえつけた時の前記ブレードの傾き度合いに基づいて、前記回収ボックス内がニヤフル状態であることを検出するホトセンサとを有し、
（ｄ）前記回収された媒体が前記回収ボックス内に搬入される前に、前記ブレードを回転させて前記回収ボックス内に集積された媒体を上から押さえつけ、
（ｅ）前記回収された媒体の一部が前記回収ボックス内に搬入されて前記集積された媒体とオーバーラップした時に、前記ブレードを逆向きに回転させて前記集積された媒体の上から離し、
（ｆ）前記回収された媒体が前記集積された媒体の上に載るように前記回収ボックス内に搬入することを特徴とする媒体発行・回収装置。
【請求項３】
（ａ）回収された媒体が内部に集積される回収ボックスと、
（ｂ）マグネットによって回転させられ、前記回収ボックス内に集積された媒体を上から押さえつけるブレードと、
（ｃ）前記集積された媒体を押さえつけた時の前記ブレードの傾き度合いに基づいて、前記回収ボックス内がニヤフル状態であることを検出するホトセンサとを有し、
（ｄ）前記回収された媒体が前記回収ボックス内に搬入される前に、前記ブレードを回転させて前記回収ボックス内に集積された媒体を上から押さえつけ、
（ｅ）前記回収された媒体の一部が前記回収ボックス内に搬入された時、取込ローラを逆向きに回転させて前記回収された媒体を前記回収ボックスから排出するとともに、
（ｆ）前記取込ローラを逆転させている間、前記ブレードが前記集積された媒体を上から押さえつけ続けることを特徴とする媒体発行・回収装置。
【発明の詳細な説明】
【０００１】
【発明の属する技術分野】
本発明は、媒体発行・回収装置及び媒体発行・回収装置の制御方法に関するものである。
【０００２】
【従来の技術】
従来、消費者金融等で使用される自動契約機に内蔵される媒体発行・回収装置において、種類の異なる媒体、例えば、契約申込書、契約書等を収納した複数のカセットが配設されている。そして、自動契約機の顧客操作パネルのような装置に顧客である消費者が入力した入力情報に基づき、該入力情報に対応する媒体をカセットから繰り出し、その繰り出された媒体に印刷を行って契約書等を発行するようになっている。また、顧客が必要事項を記入した契約申込書等の媒体を取り込み、スキャナで記入された前記必要事項を読み取って上位装置に必要事項を送信するようになっている。さらに、前記必要事項は、離れた場所に駐在する消費者金融業者の係員の使用する端末に送信され、該係員が前記必要事項の内容をチェックして、問題がないと判断した場合に、前記上位装置を介して送信される前記係員の指示に基づき、前記契約申込書等の媒体は、媒体発行・回収装置内に配設されている回収ボックスに集積される。
【０００３】
ここで、前記従来の媒体発行・回収装置において、前記契約申込書等の媒体を集積するための手段は、回収ボックスに最も近い位置に配設された取込ローラを駆動する駆動手段にワンウェイギヤが使用され、前記取込ローラが媒体を回収ボックス内に搬入する方向にだけしか回転しないようになっている。また、回収ボックスの上方に媒体の搬送に影響しない程度の軽い力を受けても回転する振り子状の部材が配設されている。そして、該振り子状の部材は、前記回収ボックス内に媒体がある程度積み重なった状態で、一番上の媒体の上面に接し、該上面によって下方から支持される。したがって、前記回収ボックス内に集積された媒体の高さによって、前記振り子状の部材の角度が変化するので、該角度に基づいて、前記回収ボックス内に集積された媒体の高さを検出することができる。
【０００４】
そして、あと数枚だけしか媒体を集積することができない程度に前記回収ボックス内に媒体が集積された状態、すなわち、ニヤフル（ｎｅａｒ−ｆｕｌｌ）状態の時に、振り子状の部材が光軸を遮るような位置にホトセンサが配設される。これにより、該ホトセンサは、前記振り子状の部材の角度が変化して該ホトセンサの光軸を遮ったことを検出し、前記回収ボックス内の状態がニヤフル状態であることを検知するニヤフル検知機構として機能するようになっている。
【０００５】
【発明が解決しようとする課題】
しかしながら、前記従来の媒体発行・回収装置においては、曲がり癖がついている媒体が回収された場合、集積された媒体の枚数が少なくニアフル状態でないのにもかかわらず、一番上の媒体の高さが高くなり、振り子状の部材を押し上げてホトセンサの光軸を遮ってしまうので、前記ニヤフル検知機構がニヤフル状態であるとして検知してしまうことがある。
【０００６】
また、顧客が必要事項を記入した契約申込書等の媒体は、スキャナによって記入された必要事項が読み取られた後、係員が前記必要事項の内容をチェックしている間は、回収ボックス内に途中まで一時的に収納されるようになっている。そして、係員が問題がないと判断した場合、前記媒体は前記回収ボックスに集積されるが、必要事項の記入に不備等があって係員が問題があると判断した場合、前記媒体は前記回収ボックスから排出され、元に戻されるようになっている。この場合、取込ローラが媒体を排出する方向に回転するので、排出される媒体と以前から回収ボックスに集積されている一番上の媒体とが接触していると、前記排出される媒体が回収ボックスから排出された直後に、その下に位置する前記一番上の媒体が取込ローラの回転によって、回収ボックスから連れ出されてしまうことがある。
【０００７】
さらに、回収ボックス内に集積された媒体が変形している場合、前記媒体は、その上に集積される媒体によって押されるので、回収ボックス内で折れ曲がってしまうことがある。また、後から回収ボックスに収納された媒体が変形している媒体の下に入り込んでしまうこともある。この場合、回収ボックス内に集積された媒体の順序を管理することができなくなってしまう。
【０００８】
本発明は、前記従来の媒体発行・回収装置の問題点を解決して、回収された媒体が曲がり癖がついていたり変形している場合でも、ニヤフル検知機構が誤ってニヤフル状態であると検知してしまうことがなく、また、後から回収ボックスに収納された媒体が既に集積された媒体の下に入り込んでしまうこともなく、さらに、一時的に収納された媒体が回収ボックスから排出される時に、既に集積されている媒体が回収ボックスから連れ出されることがない媒体発行・回収装置及び媒体発行・回収装置の制御方法を提供することを目的とする。
【０００９】
【課題を解決するための手段】
そのために、本発明の媒体発行・回収装置においては、回収された媒体が内部に集積される回収ボックスと、マグネットによって回転させられ、前記回収ボックス内に集積された媒体を上から押さえつけるブレードと、前記集積された媒体を押さえつけた時の前記ブレードの傾き度合いに基づいて、前記回収ボックス内がニヤフル状態であることを検出するホトセンサとを有し、前記回収された媒体が前記回収ボックス内に搬入される前に、前記ブレードを回転させて前記回収ボックス内に集積された媒体を上から押さえつけ、前記ブレード上に載るように前記回収された媒体を前記回収ボックス内に搬入し、前記回収された媒体の一部が前記回収ボックス内に搬入された時に、取込ローラを逆向きに回転させて前記回収された媒体を前記回収ボックスから排出する。
【００１１】
本発明の他の媒体発行・回収装置においては、回収された媒体が内部に集積される回収ボックスと、マグネットによって回転させられ、前記回収ボックス内に集積された媒体を上から押さえつけるブレードと、前記集積された媒体を押さえつけた時の前記ブレードの傾き度合いに基づいて、前記回収ボックス内がニヤフル状態であることを検出するホトセンサとを有し、前記回収された媒体が前記回収ボックス内に搬入される前に、前記ブレードを回転させて前記回収ボックス内に集積された媒体を上から押さえつけ、前記回収された媒体の一部が前記回収ボックス内に搬入されて前記集積された媒体とオーバーラップした時に、前記ブレードを逆向きに回転させて前記集積された媒体の上から離し、前記回収された媒体が前記集積された媒体の上に載るように前記回収ボックス内に搬入する。
【００１２】
本発明の更に他の媒体発行・回収装置においては、回収された媒体が内部に集積される回収ボックスと、マグネットによって回転させられ、前記回収ボックス内に集積された媒体を上から押さえつけるブレードと、前記集積された媒体を押さえつけた時の前記ブレードの傾き度合いに基づいて、前記回収ボックス内がニヤフル状態であることを検出するホトセンサとを有し、前記回収された媒体が前記回収ボックス内に搬入される前に、前記ブレードを回転させて前記回収ボックス内に集積された媒体を上から押さえつけ、前記回収された媒体の一部が前記回収ボックス内に搬入された時、取込ローラを逆転させて前記回収された媒体を前記回収ボックスから排出するとともに、前記取込ローラを逆転させている間、前記ブレードが前記集積された媒体を上から押さえつけ続ける。
【００１３】
【発明の実施の形態】
以下、本発明の実施の形態について図面を参照しながら詳細に説明する。
【００１４】
図２は本発明の第１の実施の形態における自動契約機の概略側面図である。
【００１５】
図に示されるように、自動契約機１１は、上部の全面に配設された顧客操作パネル１２、契約カード発行装置１３、身分証明書等の記載事項を読み取るイメージスキャナ１４、及び、契約申込書等の媒体に記載された必要事項を読み取って回収し、契約書等の媒体の印刷を行って発行する媒体発行・回収装置１５によって構成される。
【００１６】
ここで、前記自動契約機１１は、一般的には、消費者金融において使用されるものであるが、銀行、信用金庫等の一般の金融機関においてローン契約等の締結のために使用されるものであってもよいし、飛行場等において損害保険契約等の締結のために使用されるものであってもよいし、会員制の組織に入会する契約を締結するために使用されるものであってもよいし、いかなる用途に使用されるものであってもよいが、本実施の形態においては、説明の都合上、消費者金融において使用される自動契約機である場合について説明する。
【００１７】
図３は本発明の第１の実施の形態における媒体発行・回収装置の概略側断面図である。
【００１８】
図において、１５は媒体発行・回収装置、２１は媒体挿入・発行口、２２は図示されない媒体を搬送する複数対の搬送ローラ、２３は申込書等の媒体に記載された必要事項を読み取るスキャナ、２４は申込書等媒体を回収して集積しておく回収ボックス、２５は媒体を回収する方向にだけ駆動される取込ローラ、２６は契約書等の媒体を収納するカセットであり、本実施の形態においては、２種類の媒体をそれぞれ別々のカセットに、又は、同一種類の媒体を２つのカセットに収納して装着することができるようになっている。
【００１９】
また、２７は前記カセット２６から繰り出された契約書等の媒体を図示されない印刷基準面に整列させるアライナ部、２８は前記カセット２６から繰り出された契約書等の媒体に契約内容等の印刷を行う印刷部、２９は回収ボックス２４内に集積された媒体を上から押さえるためのブレード機構である。
【００２０】
次に、前記回収ボックス２４上に配設されたブレード機構２９について説明する。
【００２１】
図１は本発明の第１の実施の形態における媒体発行・回収装置のブレード機構の斜視図、図４は本発明の第１の実施の形態における媒体発行・回収装置のブレード機構の正面図、図５は本発明の第１の実施の形態における媒体発行・回収装置のブレード機構の平面図である。
【００２２】
図に示されるように、ブレード３１及びアーム３２は軸３３に固定され、該軸３３は図示されない両側フレームの軸受け３４によって支持される。前記アーム３２のポスト３５は、マグネット３６に取り付けられたリンク３７の角穴３８に嵌（は）め込まれている。
【００２３】
そして、前記マグネット３６は、作動状態においてリンク３７を吸引して矢印ｂ方向に移動させるようになっており、前記マグネット３６の解放状態において、一端が媒体発行・回収装置１５のボディ等に固定されたスプリング３９によってリンク３７が矢印ａ方向に移動する。そのため、アーム３２のポスト３５が角穴３８の側面によって矢印ａ方向に押されて軸３３が回転し、ブレード３１の先端（図１において左下側端）部分は上昇させられてリミッタ４０に突き当たる。
【００２４】
また、マグネット３６の吸引状態において、リンク３７は矢印ｂ方向に移動し、ブレード３１及びアーム３２の重さによってブレード３１の先端部分が下降する。この場合、前記ブレード３１及びアーム３２の重さによるモーメントで、軸３３は回転させられ、アーム３２のポスト３５がリンク３７の角穴３８の側面に当たるか、又は、ブレード３１の先端部分の下面が回収ボックス２４内の集積媒体４２に当たると停止する。なお、該集積媒体４２の高さの変化によって、マグネット３６が吸引時のブレード３１及びアーム３２が停止する角度は変化する。
【００２５】
そして、ホトセンサ４３は、回収ボックス２４内に媒体を集積することができる状態、すなわち、回収ボックス２４内が媒体回収可能状態にある時、マグネット３６の吸引状態においてアーム３２の先端が光軸を遮るように、すなわち、ホトセンサ４３がオンになる位置に配設される。また、あと数枚だけしか媒体を集積することができない程度に前記回収ボックス２４内に媒体が集積された状態、すなわち、ニヤフル（ｎｅａｒ−ｆｕｌｌ）状態の時、マグネット吸引状態でアーム３２の先端が光軸を遮らない、すなわち、ホトセンサ４３がオフになる位置に配設される。
【００２６】
また、取込ローラ２５は、図示されないワンウェイギヤを介して駆動され、媒体を回収ボックス２４内に搬入する方向にのみ回転するように駆動されるようになっており、媒体を回収ボックス２４から排出する方向には駆動されない。なお、マグネット３６の解放状態において、ブレード３１の先端部分が上昇してリミッタ４０に突き当たっている状態で、回収ボックス２４を着脱することができるようになっている。
【００２７】
次に、前記構成の媒体発行・回収装置１５の動作について説明する。
【００２８】
図６は本発明の第１の実施の形態におけるブレード機構のマグネット解放状態の動作を示す図、図７は本発明の第１の実施の形態におけるブレード機構の媒体回収可能状態の動作を示す図、図８は本発明の第１の実施の形態におけるブレード機構のニヤフル状態の動作を示す図である。
【００２９】
まず、消費者金融機関の係員が顧客に対し、図示されない上位装置等を介して、必要事項が記入された契約申込書を媒体発行・回収装置１５内に挿入するように指示する。すると、前記顧客は指示に従って契約申込書である媒体４５を媒体発行・回収装置１５の媒体挿入・発行口２１に挿入する。この時、マグネット３６は解放状態であり、図６に示されるように、ブレード３１の先端部分はリミッタ４０に突き当たった状態である。
【００３０】
続いて、顧客が媒体発行・回収装置１５内に挿入した媒体４５は搬送ローラ２２によって搬送され、スキャナ２３の位置に到達する。ここで、前記媒体４５に記入された必要事項がスキャナ２３によって読み取られた後、媒体４５の搬送が停止される。一方、スキャナ２３によって読み取られた前記必要事項は上位装置に送信され、さらに、離れた場所等に駐在する消費者金融業者の係員の使用する端末に送信される。前記係員が前記必要事項の内容をチェックして、問題がないと判断した場合に、前記上位装置を介して送信される前記係員の指示に基づき、搬送ローラ２２及び取込ローラ２５が駆動して、前記媒体４５が回収ボックス２４内に搬入されて集積される。
【００３１】
次に、回収ボックス２４内への媒体４５が搬入されて集積されると、マグネット３６が作動して吸引状態となり、ブレード３１の先端部分が下降して、図７に示されるように、集積している媒体、すなわち、集積媒体４２の一番上の媒体の上面を押さえつける。
【００３２】
そして、マグネット３６の吸引状態において、ホトセンサ４３のオン・オフ状態が確認され、ホトセンサ４３がオンである場合は、図７に示されるように、前記回収ボックス２４内にまだ媒体が集積される余裕がある状態、すなわち、媒体回収可能状態であると判断される。一方、ホトセンサ４３がオフである場合は、図８に示されるように、あと数枚だけしか媒体を集積することができない程度に媒体が集積された状態、すなわち、ニヤフル状態であると判断される。そして、前記回収ボックス２４が媒体回収可能状態であるか又はニヤフル状態であるかは、上位装置を介して、前記係員の使用する端末に送信される。これにより、前記係員は、前記回収ボックス２４内の集積媒体４２の集積量を把握することができる。
【００３３】
このように、本実施の形態においては、マグネット３６によって動作するブレード３１と、前記ブレード３１の傾きの度合いを検出するホトセンサ４３とを配設して、回収ボックス２４内へ媒体４５が搬入されて集積された後に、ブレード３１によって集積媒体４２を押さえつけた状態でホトセンサ４３によって、回収ボックス２４が媒体回収可能状態であるか又はニヤフル状態であるかを検出するようになっている。
【００３４】
したがって、回収された媒体４５が曲がり癖がついていたり変形している場合であっても、誤ってニヤフル状態であると検知してしまうことがなく、回収ボックス２４内の集積媒体４２の集積量を的確に把握することができ、ニヤフル状態を正確に検知することができる。
【００３５】
次に、本発明の第２の実施の形態について説明する。なお、本実施の形態における構成については、前記第１の実施の形態と同様であるので図１〜５を援用して説明する。
【００３６】
次に、前記構成の媒体発行・回収装置１５の動作について説明する。
【００３７】
図９は本発明の第２の実施の形態におけるブレード機構の集積媒体押付状態を示す図、図７は本発明の第１の実施の形態におけるブレード機構のマグネット解放タイミングの動作を示す図である。
【００３８】
まず、消費者金融機関の係員が顧客に対し、上位装置等を介して、必要事項が記入された契約申込書を媒体発行・回収装置１５内に挿入するように指示する。すると、前記顧客は指示に従って契約申込書である媒体４８を媒体発行・回収装置１５の媒体挿入・発行口２１に挿入する。この時、マグネット３６は解放状態であり、ブレード３１の先端部分はリミッタ４０に突き当たった状態である。
【００３９】
続いて、顧客が媒体発行・回収装置１５内に挿入した媒体４８は搬送ローラ２２によって搬送され、スキャナ２３の位置に到達する。ここで、前記媒体４８に記入された必要事項がスキャナ２３によって読み取られるが、前記必要事項がスキャナ２３によって読み取られている間、前記媒体４８は継続して搬送される。これにより、該媒体４８の先端（図９において左端）は、前記必要事項がスキャナ２３によって読み取られている時に、取込ローラ２５によって搬送され、回収ボックス２４内に進入する。
【００４０】
一方、前記媒体４８の先端が回収ボックス２４内に進入する前に、マグネット３６が作動して吸引状態となり、ブレード３１の先端部分が下降して、図９に示されるように、集積している媒体、すなわち、集積媒体４２の一番上の媒体の上面を押さえつける。このため、回収ボックス２４内に進入した媒体４８の先端は、ブレード３１の上面を擦りながら、図９において左方へ移動する。
【００４１】
次に、スキャナ２３による前記必要事項の読み取りが終了した後、媒体４８の搬送が停止される。そして、スキャナ２３によって読み取られた前記必要事項は上位装置に送信され、さらに、離れた場所等に駐在する消費者金融業者の係員の使用する端末に送信される。該係員が前記必要事項の内容をチェックして、問題があると判断した場合に、前記上位装置を介して送信される前記係員の指示に基づき、搬送ローラ２２及び取込ローラ２５が逆回転を開始して、前記媒体４８が回収ボックス２４から排出され逆方向に搬送される。そして、前記媒体４８は、前記媒体挿入・発行口２１から媒体発行・回収装置１５外に排出される。なお、本実施の形態において、取込ローラ２５は、ワンウェイギヤを介して駆動されるようにはなっておらず、媒体４８を回収ボックス２４内に搬入する方向だけでなく、媒体を回収ボックス２４から排出する方向にも駆動される。
【００４２】
また、前記媒体４８が回収ボックス２４から排出された後、マグネット３６が作動を停止して開放状態となるので、ブレード３１はスプリング３９の作用によって上昇させられ、図１０に示されるように、ブレード３１の先端部分はリミッタ４０に突き当たった状態になる。そして、顧客は、上位装置等を介しての前記係員の指示にしたがって、排出された媒体４８の必要事項等を修正したり、記入し直したりした後、再度、該媒体４８を媒体発行・回収装置１５の媒体挿入・発行口２１に挿入する。
【００４３】
一方、前記係員が前記必要事項の内容をチェックして、問題がないと判断した場合には、前記搬送ローラ２２及び取込ローラ２５が逆回転を開始して、前記媒体４８が回収ボックス２４から排出されるが、該媒体４８の先端が回収ボックス２４から出た直後に、前記搬送ローラ２２及び取込ローラ２５が回転を停止するので、媒体４８も停止させられる。続いて、前記ブレード３１が上昇させられ、図１０に示されるように、ブレード３１の先端部分はリミッタ４０に突き当たった状態になると、前記搬送ローラ２２及び取込ローラ２５が正回転を開始して、前記媒体４８が回収ボックス２４内に搬入される。
【００４４】
次に、回収ボックス２４内への前記媒体４８が搬入されて集積されると、マグネット３６が作動して吸引状態となり、ブレード３１の先端部分が下降して、集積媒体４２の一番上の媒体の上面を押さえつける。
【００４５】
このように、本実施の形態においては、排出される可能性がある媒体４８を回収する場合、該媒体４８が最初に回収ボックス２４内へ進入する時には、ブレード３１を下降させて集積媒体４２を押さえ付け、前記媒体４８がブレード３１の上になるようにする。
【００４６】
したがって、媒体４８と集積媒体４２の一番上に位置する媒体とが接触することがないので、取込ローラ２５が逆方向に回転して前記媒体４８が回収ボックス２４から排出される時に、一番上の媒体が取込ローラ２５の回転によって、回収ボックス２４から連れ出されてしまうことがない。また、前記取込ローラ２５は、ワンウェイギヤを介して駆動される必要がないので、前記取込ローラ２５を駆動する装置の構造が簡素化され、製造コストを低下させることができる。
【００４７】
次に、本発明の第３の実施の形態について説明する。なお、本実施の形態における構成については、前記第１の実施の形態と同様であるので図１〜５を援用して説明する。
【００４８】
次に、前記構成の媒体発行・回収装置１５の動作について説明する。
【００４９】
図１１は本発明の第３の実施の形態におけるブレード機構の動作を示す図である。
【００５０】
まず、消費者金融機関の係員が顧客に対し、上位装置等を介して、必要事項が記入された契約申込書を媒体発行・回収装置１５内に挿入するように指示する。すると、前記顧客は指示に従って契約申込書である媒体５０を媒体発行・回収装置１５の媒体挿入・発行口２１に挿入する。この時、マグネット３６は解放状態であり、ブレード３１の先端部分はリミッタ４０に突き当たった状態である。
【００５１】
続いて、顧客が媒体発行・回収装置１５内に挿入した媒体５０は搬送ローラ２２によって搬送され、スキャナ２３の位置に到達する。ここで、該媒体５０に記入された必要事項がスキャナ２３によって読み取られるが、前記必要事項がスキャナ２３によって読み取られている間、前記媒体５０は継続して搬送される。これにより、該媒体５０の先端（図１１において左端）は、前記必要事項がスキャナ２３によって読み取られている時に、取込ローラ２５によって搬送され、回収ボックス２４内に進入する。
【００５２】
一方、前記媒体５０の先端が回収ボックス２４内に進入する前に、マグネット３６が作動して吸引状態となり、ブレード３１の先端部分が下降して、図１１において点線で示されるように、集積している媒体、すなわち、集積媒体４２の一番上の媒体の上面を押さえつける。このため、回収ボックス２４内に進入した媒体５０の先端は、ブレード３１の上面を擦りながら、図１１において左方へ移動する。
【００５３】
次に、スキャナ２３による前記必要事項の読み取りが終了した後、媒体５０の搬送が停止される。そして、スキャナ２３によって読み取られた前記必要事項は上位装置に送信され、さらに、離れた場所等に駐在する消費者金融業者の係員の使用する端末に送信される。該係員が前記必要事項の内容をチェックして、問題があると判断した場合、以降の動作は、前記第２の実施の形態と同様であるので、説明を省略する。
【００５４】
一方、前記係員が前記必要事項の内容をチェックして、問題がないと判断した場合には、前記搬送ローラ２２及び取込ローラ２５が逆回転を開始して、前記媒体５０が回収ボックス２４から排出される方向に搬送されるが、該媒体５０の先端が、図１１に示されるように、回収ボックス２４から出る直前、すなわち、回収ボックス２４の出入口端近傍の位置に到達した時、前記搬送ローラ２２及び取込ローラ２５が回転を停止するので、媒体５０も停止させられる。ここで、前記直前の位置は、図１１において二点鎖線で示されるブレード３１の先端の軌跡よりも僅かに取込ローラ２５に近づいた位置である。この場合、媒体５０の先端近傍の部分と集積媒体４２の後端（図１１において右端）近傍の部分とがオーバーラップした状態となる。
【００５５】
続いて、前記ブレード３１が上昇させられ、図１１に示されるように、ブレード３１の先端部分はリミッタ４０に突き当たった状態になると、前記搬送ローラ２２及び取込ローラ２５が正回転を開始して、前記媒体５０が回収ボックス２４内に搬入される。この場合、媒体５０の先端近傍の部分と集積媒体４２の後端近傍の部分とが既にオーバーラップしているので、集積媒体４２の中に曲がり癖がついていたり変形している媒体が含まれている場合であっても、集積媒体４２の一番上に位置する媒体が媒体５０の上に飛び出すことがないので、該媒体５０が既に集積された媒体の下に入り込んでしまうことがない。
【００５６】
なお、媒体５０の長さが短かい場合、スキャナ２３による前記必要事項の読み取りが終了し媒体５０の搬送が停止された時に、前記媒体５０の先端が回収ボックス２４内に届かないことがある。
【００５７】
この場合、前記係員が前記必要事項の内容をチェックして、問題がないと判断すると、搬送ローラ２２及び取込ローラ２５が正回転を再開し、前記媒体５０を搬送する。一方、回収ボックス内に媒体５０の先端が入る前にマグネット３６を吸引し、ブレード３１で集積媒体４２の一番上の媒体の上面を押さえつける。そして、媒体５０の先端が、図１１に示されるように、回収ボックス２４の出入口端面近傍の位置に到達した時、前記搬送ローラ２２及び取込ローラ２５が回転を停止するので、媒体５０も停止させられる。続いて、前記ブレード３１が上昇させられて先端部分はリミッタ４０に突き当たった状態になると、前記搬送ローラ２２及び取込ローラ２５が正回転を開始して、前記媒体５０が回収ボックス２４内に搬入される。
【００５８】
なお、媒体５０が回収ボックス２４内に搬入される時の速度が高いと、慣性によって、該媒体５０は回収ボックス２４の図１１における左方に到達して、媒体５０の後端が回収ボックス２４の出入口端面から離れてしまう。この場合、次に搬入される媒体５０とのオーバーラップの量が少なくなったり、オーバーラップがなくなったりしてしまう。したがって、次の媒体と確実にオーバーラップ量を得るために、媒体５０が回収ボックス２４内に搬入される時の速度は、回収ボックス２４の出入口端面から媒体５０の後端が離れることがない程度の低速とすることが望ましい。
【００５９】
このように、本実施の形態においては、媒体５０を回収する時に、ブレード３１を下降させて集積媒体４２を押さえた状態において、該集積媒体４２とオーバーラップする位置まで前記媒体５０搬送した時に、ブレード３１を上昇させるようにする。
【００６０】
したがって、集積媒体４２の中に曲がり癖がついていたり変形している媒体が含まれている場合であっても、集積媒体４２の一番上に位置する媒体が媒体５０の上に飛び出すことがないので、該媒体５０が既に集積された媒体の下に入り込んでしまうことがない。
【００６１】
次に、本発明の第４の実施の形態について説明する。なお、本実施の形態における構成については、前記第１の実施の形態と同様であるので図１〜５を援用して説明する。
【００６２】
次に、前記構成の媒体発行・回収装置１５の動作について説明する。
【００６３】
まず、消費者金融機関の係員が顧客に対し、上位装置等を介して、必要事項が記入された契約申込書を媒体発行・回収装置１５内に挿入するように指示する。すると、前記顧客は指示に従って契約申込書である媒体５０を媒体発行・回収装置１５の媒体挿入・発行口２１に挿入する。この時、マグネット３６は解放状態であり、ブレード３１の先端部分はリミッタ４０に突き当たった状態である。
【００６４】
続いて、顧客が媒体発行・回収装置１５内に挿入した媒体５０は搬送ローラ２２によって搬送され、スキャナ２３の位置に到達する。ここで、前記媒体５０に記入された必要事項がスキャナ２３によって読み取られるが、前記必要事項がスキャナ２３によって読み取られている間、前記媒体５０は継続して搬送される。これによって、該媒体５０の先端は、前記必要事項がスキャナ２３によって読み取られている時に、取込ローラ２５によって搬送され、回収ボックス２４内に進入する。
【００６５】
一方、前記媒体５０の先端が回収ボックス２４内に進入する前に、マグネット３６が作動して吸引状態となり、ブレード３１の先端部分が下降して、集積している媒体、すなわち、集積媒体４２の一番上の媒体の上面を押さえつける。このため、回収ボックス２４内に進入した媒体５０の先端は、ブレード３１の上面を擦りながら移動する。
【００６６】
次に、スキャナ２３による前記必要事項の読み取りが終了した後、媒体５０の搬送が停止される。そして、スキャナ２３によって読み取られた前記必要事項は上位装置に送信され、さらに、離れた場所等に駐在する消費者金融業者の係員の使用する端末に送信される。該係員が前記必要事項の内容をチェックして、問題があると判断した場合に、前記上位装置を介して送信される前記係員の指示に基づき、搬送ローラ２２及び取込ローラ２５が逆回転を開始して、前記媒体５０が回収ボックス２４から排出され逆方向に搬送される。そして、前記媒体５０は、前記媒体挿入・発行口２１から媒体発行・回収装置１５外に排出される。
【００６７】
そして、前記媒体５０が前記媒体挿入・発行口２１から排出された後、マグネット３６が作動を停止して開放状態となるので、ブレード３１はスプリング３９の作用によって上昇させられ、ブレード３１の先端部分はリミッタ４０に突き当たった状態になる。
【００６８】
なお、本実施の形態において、取込ローラ２５は、ワンウェイギヤを介して駆動されるようにはなっておらず、媒体５０を回収ボックス２４内に搬入する方向だけでなく、媒体を回収ボックス２４から排出する方向にも駆動される。
【００６９】
このように、本実施の形態においては、媒体５０が媒体挿入・発行口２１から媒体発行・回収装置１５外に排出されるまで、ブレード３１を下降させて集積媒体４２を押さえ付けるようになっている。
【００７０】
したがって、取込ローラ２５が逆方向に回転して媒体５０が媒体挿入・発行口２１から排出されるまでの間に、集積媒体４２の一番上の媒体が取込ローラ２５の回転によって、回収ボックス２４から連れ出されてしまうことがない。また、前記取込ローラ２５は、ワンウェイギヤを介して駆動される必要がないので、前記取込ローラ２５を駆動する装置の構造が簡素化され、製造コストを低下させることができる。
【００７１】
なお、本発明は前記実施の形態に限定されるものではなく、本発明の趣旨に基づいて種々変形させることが可能であり、それらを本発明の範囲から排除するものではない。
【００７２】
【発明の効果】
以上詳細に説明したように、本発明によれば、媒体発行・回収装置においては、回収された媒体が内部に集積される回収ボックスと、マグネットによって回転させられ、前記回収ボックス内に集積された媒体を上から押さえつけるブレードと、前記集積された媒体を押さえつけた時の前記ブレードの傾き度合いに基づいて、前記回収ボックス内がニヤフル状態であることを検出するホトセンサとを有し、前記回収された媒体が前記回収ボックス内に搬入される前に、前記ブレードを回転させて前記回収ボックス内に集積された媒体を上から押さえつけ、前記ブレード上に載るように前記回収された媒体を前記回収ボックス内に搬入し、前記回収された媒体の一部が前記回収ボックス内に搬入された時に、取込ローラを逆向きに回転させて前記回収された媒体を前記回収ボックスから排出する。
【００７３】
この場合、回収された媒体が曲がり癖がついていたり、変形している場合であっても、誤ってニヤフル状態であると検知してしまうことがなく、回収ボックス内に集積された媒体の集積量を的確に把握することができ、ニヤフル状態を正確に検知することができる。
【００７５】
この場合、回収された媒体と集積された媒体の一番上に位置する媒体とが接触することがないので、取込ローラが逆方向に回転して前記回収された回収ボックスから排出される時に、集積された媒体の一番上の媒体が取込ローラの回転によって、回収ボックスから連れ出されてしまうことがない。
【００７６】
他の媒体発行・回収装置においては、回収された媒体が内部に集積される回収ボックスと、マグネットによって回転させられ、前記回収ボックス内に集積された媒体を上から押さえつけるブレードと、前記集積された媒体を押さえつけた時の前記ブレードの傾き度合いに基づいて、前記回収ボックス内がニヤフル状態であることを検出するホトセンサとを有し、前記回収された媒体が前記回収ボックス内に搬入される前に、前記ブレードを回転させて前記回収ボックス内に集積された媒体を上から押さえつけ、前記回収された媒体の一部が前記回収ボックス内に搬入されて前記集積された媒体とオーバーラップした時に、前記ブレードを逆向きに回転させて前記集積された媒体の上から離し、前記回収された媒体が前記集積された媒体の上に載るように前記回収ボックス内に搬入する。
【００７７】
この場合、集積された媒体の中に曲がり癖がついていたり変形している媒体が含まれている場合であっても、集積された媒体の一番上に位置する媒体が回収された媒体の上に飛び出すことがないので、前記回収された媒体が既に集積された媒体の下に入り込んでしまうことがない。
【００７８】
更に他の媒体発行・回収装置においては、回収された媒体が内部に集積される回収ボックスと、マグネットによって回転させられ、前記回収ボックス内に集積された媒体を上から押さえつけるブレードと、前記集積された媒体を押さえつけた時の前記ブレードの傾き度合いに基づいて、前記回収ボックス内がニヤフル状態であることを検出するホトセンサとを有し、前記回収された媒体が前記回収ボックス内に搬入される前に、前記ブレードを回転させて前記回収ボックス内に集積された媒体を上から押さえつけ、前記回収された媒体の一部が前記回収ボックス内に搬入された時、取込ローラを逆向きに回転させて前記回収された媒体を前記回収ボックスから排出するとともに、前記取込ローラを逆転させている間、前記ブレードが前記集積された媒体を上から押さえつけ続ける。
【００７９】
この場合、取込ローラが逆方向に回転して回収された媒体が媒体挿入・発行口から排出されるまでの間に、集積された媒体の一番上の媒体が取込ローラの回転によって、回収ボックスから連れ出されてしまうことがない。また、前記取込ローラは、ワンウェイギヤを介して駆動される必要がないので、前記取込ローラを駆動する装置の構造が簡素化され、製造コストを低下させることができる。
【図面の簡単な説明】
【図１】本発明の第１の実施の形態における媒体発行・回収装置のブレード機構の斜視図である。
【図２】本発明の第１の実施の形態における自動契約機の概略側面図である。
【図３】本発明の第１の実施の形態における媒体発行・回収装置の概略側断面図である。
【図４】本発明の第１の実施の形態における媒体発行・回収装置のブレード機構の正面図である。
【図５】本発明の第１の実施の形態における媒体発行・回収装置のブレード機構の平面図である。
【図６】本発明の第１の実施の形態におけるブレード機構のマグネット解放状態の動作を示す図である。
【図７】本発明の第１の実施の形態におけるブレード機構の媒体回収可能状態の動作を示す図である。
【図８】本発明の第１の実施の形態におけるブレード機構のニヤフル状態の動作を示す図である。
【図９】本発明の第２の実施の形態におけるブレード機構の集積媒体押付状態を示す図である。
【図１０】本発明の第１の実施の形態におけるブレード機構のマグネット解放タイミングの動作を示す図である。
【図１１】本発明の第３の実施の形態におけるブレード機構の動作を示す図である。
【符号の説明】
１５    媒体発行・回収装置
２４    回収ボックス
２５    取込ローラ
３１    ブレード
３６    マグネット
４３    ホトセンサ
４５、４８、５０    媒体
【図１】
0004610119.tif 000002
【図２】
0004610119.tif 000003
【図３】
0004610119.tif 000004
【図４】
0004610119.tif 000005
【図５】
0004610119.tif 000006
【図６】
0004610119.tif 000007
【図７】
0004610119.tif 000008
【図８】
0004610119.tif 000009
【図９】
0004610119.tif 000010
【図１０】
0004610119.tif 000011
【図１１】
0004610119.tif 000012